(57)【要約】      （修正有）【課題】送電線鉄塔内に鳥が飛来するのを効果的に防止できる送電線鉄塔の害鳥忌避液塗布装置を提供する。【解決手段】操作棒１と、操作棒１の先端部に装着された塗布部１０と、塗布部１０に害鳥忌避液を供給する害鳥忌避液供給部２とを備える。塗布部１０が、操作棒１の先端部に上下方向へ回転自在に軸着されたフレーム１２と、フレーム１２の先端部に軸着され、送電線鉄塔を構築するアングル材の水平部の上面に接地する左右一対のローラ１３と、フレーム１２の先端二股部に装着されてアングル材の直立部の上面に接地するローラ１３よりも直径が小さいロールとから成り、害鳥忌避液供給部２からチューブ８を通して左右一対のローラ１３の間に害鳥忌避液を供給するようにした。【選択図】図１
2005224043.tif 000002
【特許請求の範囲】
【請求項１】
操作棒と、操作棒の先端部に装着された塗布部と、塗布部に害鳥忌避液を供給する害鳥忌避液供給部とを備え、前記塗布部が、前記操作棒の先端部に上下方向へ回転自在に軸着されたフレームと、このフレームの先端部に軸着され、送電線鉄塔を構築するアングル材の水平部の上面に接地する左右一対のローラと、このフレームの先端二股部に装着されて前記アングル材の直立部の上面に接地する前記ローラよりも直径が小さいロールとから成り、前記害鳥忌避液供給部からチューブを通して前記左右一対のローラの間に害鳥忌避液を供給するようにしたことを特徴とする送電線鉄塔の害鳥忌避液塗布装置。
【請求項２】
前記チューブの先端部を、前記フレームに形成された孔部に上下方向に抜き差し自在に挿着することにより、その下端部の高さを調整自在としたことを特徴とする請求項１記載の送電線鉄塔の害鳥忌避液塗布装置。
【発明の詳細な説明】
【技術分野】
【０００１】
本発明は、送電線鉄塔に鳥が飛来するのを防止するための送電線鉄塔の害鳥忌避液塗布装置に関するものである。
【背景技術】
【０００２】
送電線鉄塔にはカラスなどの鳥が飛来し、その内部に巣を作りやすい。鳥が巣作りのために持ち込む材料にはハリガネなどの導電性を有するものも含まれるので、場合によっては短絡事故を発生する。この他にも、送電線鉄塔に鳥が飛来することにより、ふん害などの様々な害が発生する。
【発明の開示】
【発明が解決しようとする課題】
【０００３】
このため、従来より送電線鉄塔に対する鳥害防止のために様々な対策が提案されているが、いずれも十分な防止効果をあげていない実情にある。
【０００４】
そこで本発明は、送電線鉄塔内に鳥が飛来するのを効果的に防止できる送電線鉄塔の害鳥忌避液塗布装置を提供することを目的とする。
【課題を解決するための手段】
【０００５】
本発明の送電線鉄塔の害鳥忌避液塗布装置は、操作棒と、操作棒の先端部に装着された塗布部と、塗布部に害鳥忌避液を供給する害鳥忌避液供給部とを備え、前記塗布部が、前記操作棒の先端部に上下方向へ回転自在に軸着されたフレームと、このフレームの先端部に軸着され、送電線鉄塔を構築するアングル材の水平部の上面に接地する左右一対のローラと、このフレームの先端二股部に装着されて前記アングル材の直立部の上面に接地する前記ローラよりも直径が小さいロールとから成り、前記害鳥忌避液供給部からチューブを通して前記左右一対のローラの間に害鳥忌避液を供給するようにした。
【０００６】
また望ましくは、前記チューブの先端部を、前記フレームに形成された孔部に上下方向に抜き差し自在に挿着することにより、その下端部の高さを調整自在とした。
【発明の効果】
【０００７】
上記構成の本発明によれば、ローラをアングル材の水平部の上面に接地させて転動させることにより、水平部の上面に害鳥忌避液を塗布できる。また直立部の上面にロールを接地させて転動させることにより、直立部の上面に害鳥忌避液を塗布することができる。
【発明を実施するための最良の形態】
【０００８】
以下、本発明の実施の形態を図面を参照して説明する。図１は送電線鉄塔の害鳥忌避液塗布装置の側面図、図２は送電線鉄塔の害鳥忌避液塗布装置の先端部の断面図、図３は送電線鉄塔の害鳥忌避液塗布装置の先端部の底面図、図４は送電線鉄塔の害鳥忌避液塗布装置のアングル材の水平部の上面に害虫忌避液を塗布している様子を示す要部正面図、図５は送電線鉄塔の害鳥忌避液塗布装置のアングル材の直立部の上面に害虫忌避液を塗布している様子を示す要部正面図である。
【０００９】
図１において、１はＦＲＰなどの電気絶縁性の素材から成る操作棒であって、その先端部には前方へ突出する塗布部１０が設けられており、また塗布部１０の手前の先端部上には害鳥忌避液供給部２が装着されている。また操作棒１の基端部は作業者が保持する握り部３になっている。
【００１０】
害鳥忌避液供給部２は、害鳥忌避液（以下、単に「忌避液」という）を貯溜する電動カートリッジなどを内蔵した貯溜部４と、ラック、ピーオン、モータなどを内蔵した駆動部５から成っている。駆動部５にはスイッチレバー６が前後方向に揺動自在に設けられている。スイッチレバー６から握り部３まで細いロープなどの線材７が延出しており、握り部３を保持する作業者が線材７を手前に引くと（矢印Ａ）、スイッチレバー６は揺動して駆動部５は駆動し、貯溜部４に貯溜された忌避液をチューブ８を通して塗布部１０に供給する。
【００１１】
次に、塗布部１０について説明する。操作棒１の先端部には、ヒンジ１１を介して長尺のフレーム１２が上下方向へ回転自在に軸着されている。図３に示すように、フレーム１２の先端部両側部には左右一対のローラ１３が軸着されている。１４はその軸部である。
【００１２】
図３に示すように、フレーム１２の先端部は二股部１５になっており、二股部１５に水平なロール１６が軸部１７（図２）を中心に回転自在に装着されている。ロール１６の直径はローラ１３の直径よりもはるかに小さい。図２において、軸部１４の手前において、フレーム１２には上下方向の孔部１８が形成されており、孔部１８にはスリーブ１９が挿着されている。チューブ８の先端部は、スリーブ１９に上下方向に抜き差し自在に挿入されており（矢印Ｂ）、その挿入深度を変えることができる。
【００１３】
この送電線鉄塔の害鳥忌避液塗布装置は上記のような構成より成り、次にその取り扱い方法を説明する。作業者は害鳥忌避液塗布装置を保持して送電線鉄塔に昇り、握り部３を保持して操作棒１を操作しながら、送電線鉄塔を構築するアングル材に忌避液を塗布する。図４は、アングル材２０の水平部２１の上面に忌避液２３を塗布している様子を示している。この場合、左右一対のローラ１３を水平部上に接地させ、線材７を手前に引いて駆動部５を駆動させ、チューブ８の先端部から忌避液２３を吐出させながら、操作棒１を操作してローラ１３を水平部２１の上面を転動させることにより、水平部２１の上面に忌避液２３を直線状に塗布する。このとき、図２の鎖線及び図４に示すように、チューブ８をスリーブ１９に深く挿し込んで、その下端部を水平部２１の上面に接近させておく。
【００１４】
図５は、アングル材２０の直立部２２の上面に忌避液２３を塗布している様子を示している。この場合、チューブ８は図２において実線で示す位置まで引き上げることにより、チューブ８の下端部を直立部２２の上面よりもやや高い位置に位置させる。そして図５に示すようにロール１７を直立部２２の上面に接地させ、上記と同様にチューブ８から忌避液２３を吐出させながら、操作棒１を操作してロール１７を直立部２２上を転動させ、直立部２２上に忌避液２３を塗布する。以上のように、忌避液２３を吐出するチューブ８の下端部の高さを調整自在とすることにより、水平部２１又は直立部２２の各上面に対する最適の高さから忌避液２３を吐出することができる。
【００１５】
なお、鳥は水平部２１の上面又は直立部２２の上面にとまるので、忌避液２３は水平部２１と直立部２２の上面に塗布すれば十分であって、鳥がとまるおそれのない水平部２１の下面や直立部２２の両側面には塗布しなくてよい。
【産業上の利用可能性】
【００１６】
以上説明したように本発明によれば、ローラをアングル材の水平部に接地させて転動させることにより、水平部の上面に忌避液を塗布でき、また直立部の上面にロールを接地させて転動させることにより、直立部の上面に忌避液を塗布することができる。
【図面の簡単な説明】
【００１７】
【図１】送電線鉄塔の害鳥忌避液塗布装置の側面図
【図２】送電線鉄塔の害鳥忌避液塗布装置の先端部の断面図
【図３】送電線鉄塔の害鳥忌避液塗布装置の先端部の底面図
【図４】送電線鉄塔の害鳥忌避液塗布装置のアングル材の水平部の上面に害虫忌避液を塗布している様子を示す要部正面図
【図５】送電線鉄塔の害鳥忌避液塗布装置のアングル材の直立部の上面に害虫忌避液を塗布している様子を示す要部正面図
【符号の説明】
【００１８】
１  操作棒
２  害鳥忌避液供給部
８  チューブ
１０  塗布部
１２  フレーム
１３  ローラ
１５  二股部
１７  ロール
１８  孔部
【図１】
2005224043.tif 000003
【図２】
2005224043.tif 000004
【図３】
2005224043.tif 000005
【図４】
2005224043.tif 000006
【図５】
2005224043.tif 000007